(57)【特許請求の範囲】
【請求項１】
壜口筒(23)の開口部外周面に設けられた係止周条(24)に乗り越え係止する係止突条(4)を下端部内周面に周設して壜口筒(23)に外嵌する組付き筒(3)により前記壜口筒(23)に密嵌装し、頂壁(6)に注出口(5)を開口する有頂筒状のキャップ本体(2)と、該キャップ本体(2)に着脱自在に螺合組付きして、前記注出口(5)を開閉する有頂筒形状の外キャップ体(14)と、前記組付き筒(3)に当接外装し、該組付き筒(3)から取り外すための、突設片(32)をリング本体(30a)の端面から一体連設した補強リング(30)とを有し、前記組付き筒(3)の外側に、同軸心状に、該組付き筒(3)の下端から外鍔状の底壁片(11)を介し係止筒(12)を一体立設し、前記組付き筒(3)と係止筒(12)の間に補強リング(30)を嵌着する構成とし、前記リング本体(30a)の上端に、突設片(32)として、嵌着状態の前記補強リング(30)を上方に引上げ、離脱させるためのフランジ部(32b1)を外鍔状に一体連設し、該フランジ部(32b1)の下面が係止筒(12)の上端面に当接し、前記フランジ部(32b1)の鍔先が係止筒(12)の外周面よりも外側に突出する構成とし、前記壜口筒(23)に対するキャップ本体(2)の組付き強度を、前記壜口筒(23)に対して空回りすることがない範囲で、前記補強リング(30)を取り除いた状態で、人手によるもぎ取り状の取り外しが可能に設定した合成樹脂製注出キャップ。
【請求項２】
フランジ部(32b1)の上面周端部に、連結片(35)を介して、筒状のガード筒(34)を立設し、該ガード筒(34)の内周面下端部に設けた係止部(34a)が、外キャップ体(14)の頂板(15)の周端縁から外鍔片(18)を介して垂下設された外装筒(19)の外周面下端部に設けた係止凸部(20a)に係止し、前記外装筒(19)の下端部を離脱不能に外装する構成とした、請求項１記載の合成樹脂製注出キャップ。
【請求項３】
壜口筒(23)の開口部外周面に設けられた係止周条(24)に乗り越え係止する係止突条(4)を下端部内周面に周設して壜口筒(23)に外嵌する組付き筒(3)により前記壜口筒(23)に密嵌装し、頂壁(6)に注出口(5)を開口する有頂筒状のキャップ本体(2)と、該キャップ本体(2)に着脱自在に螺合組付きして、前記注出口(5)を開閉する有頂筒形状の外キャップ体(14)と、前記組付き筒(3)に当接外装し、該組付き筒(3)から取り外すための、突設片(32)をリング本体(30a)の端面から一体連設した補強リング(30)とを有し、前記組付き筒(3)の外側に、同軸心状に、該組付き筒(3)の下端から外鍔状の底壁片(11)を介し係止筒(12)を一体立設し、前記組付き筒(3)と係止筒(12)の間に補強リング(30)を嵌着する構成とし、前記リング本体(30a)の上端部に内鍔状の第2内鍔片(36)を周設し、該第2内鍔片(36)の上端面の1箇所から、突設片(32)として、嵌着状態の前記補強リング(30)を上方に引上げ、離脱させるための引上げ片(32b2)を一体立設する構成とし、前記壜口筒(23)に対するキャップ本体(2)の組付き強度を、前記壜口筒(23)に対して空回りすることがない範囲で、前記補強リング(30)を取り除いた状態で、人手によるもぎ取り状の取り外しが可能に設定した合成樹脂製注出キャップ。
【請求項４】
キャップ本体(2) の頂壁(6)に開口される注出口(5)を、内容液の注出をガイドすべく設けた注出筒(10)の底壁である封止壁(13)に、閉ループを描く破断溝(13b)により区画形成され、プルリング（13c）を有する抜栓部(13a)の破断除去により開設される、プルオープン式の注出口(5)とした、請求項1、２または３記載の合成樹脂製注出キャップ。
【発明の詳細な説明】
【０００１】
【発明の属する技術分野】
本発明は、壜体の口筒に組付けられ使用される、液体注出キャップであって、廃棄時に分別回収が容易にできるようにした、合成樹脂製注出キャップに関するものである。
【０００２】
【従来の技術】
従来、プルオープニングタイプの液体注出キャップが多用されている。この種のキャップは、壜口筒に嵌合組付きするキャップ本体と、キャップ本体に螺合する外キャップ体とから形成され、キャップ本体を壜口筒に螺合又は打栓することにより嵌着される。
【０００３】
一方、近年、省資源及び環境保全の観点から容器のリサイクルを前提に、注出キャップを壜体容器から分別回収する必要があり、また、プラスチック容器の場合は、使用済み容器を破砕して再生用のプラスチック原料として利用しているので、例えば、醤油、ソース等の調味料液が入っていたボトルの場合、消費者においても使用後に調味料液が容器内部に残留しないように、ボトルを洗浄することが求められている。
【０００４】
打栓式のキャップの場合は、壜口筒に強い力で打栓して嵌合組付けられているために、容易に取り外すことができないが、上記のような要求に対応する一つの方法として、例えば実用新案登録第２５９３４２６号公報、特開平１１−２５５２５１号公報に、補強リングをキャップ本体に装着する方法が記載されている。
【０００５】
実用新案登録第２５９３４２６号公報では、キャップ本体のノズル付螺筒の下端から外鍔片を介して内外二重筒部および、その外側に係止筒を垂下設し、外筒を壜口筒に乗り越え係止させながら組付き固定し、外筒と係止筒の間に下方から補強リングを嵌着、外筒に当接外装させ、使用時における組付き強度を保持しながら，分別回収時には係止筒の弱化部を破断してから、補強リングを上方に引き抜き、注出キャップを壜口筒から取り除く方法が記載されている。
【０００６】
また、特開平１１−２５５２５１号公報には、筒状の外キャップ体の筒壁下端部に連結片を介して、壜口筒に対して上方には抜け出し不能に、下方には移動可能に係止する、係止弾片を有した補強リングで壜口筒を外装し、分別回収時には補強リングを下方に移動させキャップ本体を取り外す方法が記載されている。
【０００７】
【発明が解決しようとする課題】
しかしながら、実用新案登録第２５９３４２６号公報記載の方法では、予め外筒と係止筒の間に下方から補強リングを嵌着する必要があり、壜口筒への注出キャップの嵌合組付け工程が複雑になる一方、分別回収時において、係止筒はかなりの肉厚を有しており、掴みしろも無く指先では弱化部の破断が難しく、また指先の変わりに、ドライバー等を使う際には、先端が滑って危険であり、さらに補強リングは外筒に当接該当し、略密着した状態にあるので、上方に引っ張って取り外すことが難しい。
【０００８】
また、特開平１１−２５５２５１号公報記載の方法は、上記実用新案登録第２５９３４２６号公報の問題点を、特殊な係止構造を有した補強リングを用いることにより解決しようとするものであるが、構造が複雑となり、また、そのため操作手順を間違いやすく、手順を間違えると、プルリングを引っ張って注出口を開く操作中にキャップ本体が壜口筒から外れるという不良操作が発生する、と云う問題がある。
【０００９】
そこで、本発明は、上記した問題点を解消すべく創案されたもので、特に、補強リングを用い、簡単な操作で取り扱いができ、内容液が存在する使用時には壜口筒に対する充分な組付き強度を保持しながら、分別回収時には、取り外しが容易な合成樹脂製注出キャップの開発を課題として、もって製造コストが低く、高い操作性と安全性を有した壜体容器を提供することを目的とする。
【００１０】
【課題を解決するための手段】
上記技術的課題を解決する本発明の内、第１の発明の手段は、
下端部内周面に、壜口筒に外嵌して、この壜口筒の開口部外周面に設けられた係止周条に乗り越え係止する係止突条を周設した組付き筒を有し、壜口筒に密嵌装して注出口を形成するキャップ本体を有すること、
このキャップ本体に着脱自在に螺合組付きして、キャップ本体の注出口を開閉する、有頂筒形状の外キャップ体を有すること、
キャップ本体の組付き筒に当接外装し、この組付き筒から取り外すための、突設片をリング本体の端面から一体連設した、補強リングを有すること、
壜口筒に対するキャップ本体の組付き強度を、壜口筒に対して空回りすることがない範囲で、補強リングを取り除いた状態で、人手によるもぎ取り状の取り外しができる程度に、設定すること、
にある。
【００１１】
第１の発明の上記構成により、キャップ本体の組付き筒の下端部内周面に周設した係止突条まで、補強リングが当接外装するので、組付き筒の拡径方向への撓み変形が抑制され、係止突条が乗り越え係止部から外れ難く、販売時、保管時中における注出キャップの不正および、不良操作による取り外しを防止すると共に、使用時においては、充分な組付き強度を安定して保持し内容液のウォーターハンマー状の力等による外れを確実に防止する。
【００１２】
注出キャップの分別回収時には、外キャップ体を螺脱してから、まず補強リングを、上端面あるいは下端面に設けた突設片を指で掴みながら、あるいは指をかけることにより、取り外す。
【００１３】
次に、補強リングを取り外すことにより、組付き筒の拡径方向への撓み変形の抑制を解除した状態で、キャップ本体を壜口筒からもぎ取り状に取り外す。壜口筒に対するキャップ本体の組付き強度を、人手によるもぎ取り状の取り外しができる程度に設定してあり、この操作は容易に達成することができる。
【００１４】
一方、取り外し操作を容易にするために、壜口筒に対するキャップ本体の組付き強度を小さく設定しすぎると、壜口筒に対してキャップ本体の組付き筒が空回りし、外キャップ体を螺合したり螺脱したりしながら使用することができなくなるので、組付き強度を、このような空回りのない範囲で、分別回収時に取り外しができる程度に設定している。
【００１５】
第２の発明は、第１の発明における、壜口筒に対するキャップ本体の組付き強度の設定手段を、組付き筒の肉厚とした、ものである。
【００１６】
この第２の発明の発明にあっては、組付き筒の肉厚を薄くすることにより、外力による拡径方向への撓み変形をし易くし、逆に厚くすることにより撓み変形をし難くすることができ、すなわち、組付き筒の肉厚により、特別な構造を付加することなく、壜口筒に対するキャップ本体の組付き強度を適正な範囲に設定することができる。
【００１７】
第３の発明は、第１の発明における、壜口筒に対するキャップ本体の組付き強度の設定手段を、キャップ本体の組付き筒の少なくとも下端部に割り溝を設けることとした、ものである。
【００１８】
この第３の発明にあっては、割り溝の個数、配置関係そして深さ等により、外力による組付き筒の拡径方向への撓み変形量を精度高く設定することができ、壜口筒に対するキャップ本体の組付き強度を適正な範囲に精度高く設定することができる。
【００１９】
第４の発明は、第１、第２または第３の発明の構成に、突設片を、補強リングのリング本体下端面の一ヶ所から、このリング本体の一部を延長しながら、斜め下方に一体連設した帯状の破断開始片とし、リング本体に、このリング本体の下端面と破断開始片との間に形成される、鋭角状のノッチ部先端にその一端を発する肉薄線で形成される破断部を有する構成とする、ことを加えたものである。
【００２０】
この第４の発明にあっては、帯状の破断開始片を指先で掴んで、捲り上げるような動作により、薄肉部に沿って補強リングを破断、除去するものであり、この際、破断開始片が、補強リングの下端面から突設されているので掴みやすくなっており、さらに破断開始片を捲り上げる動作による破断がノッチ部から開始するので、ノッチ部の応力集中効果により、容易に破断、取り外しを達成できる。
【００２１】
第５の発明は、第１、第２または第３の発明の構成に、キャップ本体の組付き筒の外側に、同軸心状に、この組付き筒の下端から外鍔状の底壁片を介し、係止筒を立設すること、組付き筒と係止筒の間に補強リングを嵌着する構成とすること、そしてリング本体の上端に、嵌着状態から、補強リングを上方に引上げ、脱嵌着させるための引上げ部を一体連設すること、のそれぞれを加えたものである。
【００２２】
この第５の発明にあっては、組付き筒および係止筒の間に補強リングを嵌着する構成であり、打栓操作により、キャップ本体を壜口筒に嵌合組付きさせた後、補助リングを上方から嵌着することができるので、打栓処理の安全性を高めることができ、また分別回収時、引上げ部に指先を引っ掛けて、あるいは指先で掴んで操作することにより、簡単に補強リングを取り外すことができる。
【００２３】
第６の発明は、第５の発明の構成に、引上げ部をリング本体の上端に外鍔状に一体連設したフランジ部を有すること、このフランジ部の下面が係止筒の上端面に当接し、フランジ部の鍔先が係止筒の外周面よりも外側に突出する構成とすること、を加えたものである。
【００２４】
この第６の発明にあっては、フランジ部の下面が係止筒の上端面に当接するので、補強リングの嵌着位置が決まり、またフランジ部の鍔先が係止筒の外周面よりも外側に突出しているので、分別回収時、この突出部分に指をかけて補強リングを上方に引っ張り上げ、容易に取り外すことができる。
【００２５】
第７の発明は、第６の発明の構成に、フランジ部の上面周端部に、連結片を介して、筒状のガード筒を立設し、このガード筒の内周面下端部に設けた係止部が、外キャップ体の頂板の周端縁から外鍔片を介して垂下設された外装筒の外周面下端部に設けた係止凸部に係止、外装筒の下端部を離脱不能に外装する構成とすること、を加えたものである。
【００２６】
この第７の発明にあっては、流通時に店頭にある壜体容器の不正開放の有無の確認、防止を目的としており、連結片を破断しないと、外キャップ体を開蓋することができないので、不正に開放されていれば目視にて確認することができる。
【００２７】
第８の発明は、第５の発明の構成に、引上げ部を、リング本体の上端部に内鍔状の第2内鍔片を周設し、この第2内鍔片の上端面の任意の一箇所から、引上げ片を一体立設する構成とすること、を加えたものである。
【００２８】
この第８の発明にあっては、引上げ片を指先で掴んで、上方に引っ張ることにより、簡単に補強リングを取り外すことができる。
【００２９】
第９の発明は、さらに、キャップ本体に形成される注出口を、内容液の注出をガイドすべく、設けた注出筒の底壁である封止壁に、閉ループを描く破断溝により区画形成された、プルリングを有する、抜栓部の破断除去により開設される、プルオープン式の注出口とすること、を加えたものである。
【００３０】
この第９の発明にあっては、注出口の開設までの壜容器の密閉を、確実にかつ強固に達成維持することができる。
【００３１】
【発明の実施の形態】
図1ないし図３は、本発明による注出キャップの第一実施例を示す。
注出キャップは、低密度ポリエチレン樹脂製のキャップ本体２と外キャップ体１４と、補強リング３０から構成されている。
【００３２】
図２は、本発明の第一実施例の注出キャップを、壜口筒２３に組付けた状態を示す半縦断面図で、キャップ本体２は、壜口筒２３に外嵌する、組付き筒３の上端に、内鍔状の頂壁６を介して、外周面に螺条を刻設した螺合筒７を立設し、この螺合筒７の上端に内鍔片９を介して、上端部をラッパ状に拡径した有底筒状の注出筒１０を連設し、さらに外鍔状のフランジ片６ａを頂壁６から延設して構成される。
【００３３】
本実施例では、組付き筒３の肉厚の設定により、口筒２３に対するキャップ本体２の組付き強度が、壜口筒２３に対して空回りすることがない範囲で、補強リング３０を取り除いた状態で、人手によるもぎ取り状の取り外しができる程度になるようにしている。
【００３４】
注出筒１０の底壁を構成する封止壁１３には、閉ループ状に形成された破断溝１３ｂにより区画形成された、プルリング１３ｃを有する抜栓部１３ａを形成しており、注出口の開設までの壜体容器の密閉を、確実にかつ強固に達成維持することができる。
【００３５】
壜口筒２３に外嵌する組付き筒３には、その内周面下端部に、壜口筒２３の開口部外周面に設けられた係止周条２４に乗り越え係止する係止突条４を設けてあり、この乗り越え係止により壜口筒２３に組付き固定する。
【００３６】
螺合筒７を垂下状に延長設したシール筒８は、壜口筒２３開口部に嵌入することにより、キャップ本体２の壜口筒２３に対する組付きを十分に密にして、内容液を密封する機能を有している。
【００３７】
外キャップ体１４は、注出筒１０の開口端に密嵌入すべく、頂板１５から垂下設された栓筒片１７と、頂板１５の周端縁から垂下設され、キャップ本体２の螺合筒７に螺合組付きする、内周面に螺条を刻設した本体筒１６と、頂板１５の周端縁から外鍔片１８を介して垂下設され、本体筒１６を外装する外装筒１９とを有する。
【００３８】
本体筒１６と外装筒１９は、周方向に複数個配置されたリブ片１９ａにより連結されており、また外キャップ体１４をキャップ本体２に完全螺合組み付けした状態で、外装筒１９の下端面が上記キャップ本体１４のフランジ片６ａの上面に当接する構成としている。
【００３９】
また、筒栓片１７が注出筒１０ａの内周面に接してシール機能を発揮して注出キャップの密封効果を発揮する構成となっている。
【００４０】
補強リング３０は、円筒状のリング本体３０ａと、このリング本体３０ａの下端面の１箇所から筒壁の一部を延長しながら、斜め下方に一体連設した、帯状の破断開始片３２ａからなり、またリング本体３０ａの下端面と破断開始片３２ａとの間に形成される、鋭角状のノッチ部３７先端にその一端を発し、螺旋状に略半周して上端に至る肉薄線で形成される破断部３１を有する構成としている。
【００４１】
キャップ本体２の壜口筒２３への組み付けは、予め補強リング３０を組付け筒３に下方より外嵌してから、打栓により実施するが、打栓前には組み付筒３は撓み変形が容易であり、補強リング３０の外嵌組み付け操作は容易である。
【００４２】
また、打栓後はフランジ片６ａの下面が、補強リング３０の上端面に当接し、補強リング３０を安定して、固定保持できる。
【００４３】
壜体容器の使用時には、補強リング３０が組付き筒３を当接外装し、組付き筒３の拡径方向への撓み変形を抑制しているので、充分な組付き強度が安定して保持され、プルリングによる開栓時の力、内容液のウォーターハンマー状の力等による外れを確実に防止することができる。
【００４４】
注出キャップの分別回収の際には、まず補強リング３０の破断開始片３２ａを指で掴んで引っ張り、破断部３１に沿って上端まで捲るような動作で筒壁を引き裂き、補強リング３０を取り除くが、ノッチ部３７が応力集中効果を発揮し、もっとも力を要する引き裂き開始動作も容易に実施することができる。
【００４５】
補助リング３０を取り除いた状態では、組付き筒３の拡径方向の撓み変形への抑制が小さくなり、組付き強度を、人手による取り外しができる程度に設定しているので、容易にキャップ本体を取り外すことができる。
【００４６】
図４に示す第二実施例は、口筒２３に対するキャップ本体２の組付き強度が適正な範囲になるように、キャップ本体２の組付き筒３下端部に、等間隔に６個の割り溝４ａを形成したものであり、組付き強度を壜口筒２３に対して空回りすることがない範囲で、補強リング３０を取り除いた状態で、人手によるもぎ取り状の取り外しができる程度になるような範囲に設定している。
【００４７】
図５に示す第三実施例は、組付き筒３の下端から外鍔状の底壁片１１を介し、係止筒１２を立設し、組付き筒３と係止筒１２の間に補強リング３０を嵌着する構成であり、補強リング３０の上端面端に外鍔状に、この補強リング３０を、上方に引上げ、脱嵌着させるための、フランジ部３２ｂ１を突設している。
【００４８】
補強リング３０は、キャップ本体２を打栓により壜口筒２３に嵌着組み付けた後、組付き筒３と係止筒１２の間に嵌着すればよく、打栓操作が容易になり、補強リング３０の嵌着も上方から押し込めばいいので全体として、簡単な操作で実施することができ、またこの際、フランジ部３２ｂ１の下面が係止筒１２の上端面に当接するので、補強リング３０の嵌着位置を決めることができる。
【００４９】
また、注出キャップを分別回収する際には、フランジ部３２ｂ１の鍔先が係止筒１２の外周面よりも外側に突出する構成としているので、この部分に指先を引っ掛けて、上方に引上げ、補強リング３０を容易に取り外すことができる。
【００５０】
図６，図７に示す第四実施例は、フランジ部３２ｂ１の上面周端部に、連結片３５を介して円筒状のガード筒３４を立設し、このガード筒３４の内周面下端部に設けた係止部３４ａが、外キャップ体１４の頂板１５の周端縁から外鍔片１８を介して垂下設された外装筒１９の外周面下端部に設けた係止凸部２０ａに係止して、外装筒１９の下端部を離脱不能に外装する構成としている。またガード筒３４には、一箇所に上下から切り込み部３４ｂを設けている。
【００５１】
上記構成は、流通時に店頭にある壜体容器の不正開放の有無の確認、防止を目的としており、連結片３５を破断しないと、外キャップ体を開けることができないので、不正に開放されていれば目視にて確認することができ、使用時には切り込み部３４ｂおよび連結片３５を破断しながら、ガード筒３４をまず取り除く。
【００５２】
図８および図９に示す第五実施例は、第二実施例のフランジ部３２ｂ１の代わりに、補強リング３０の上端部に内鍔状の第２内鍔片３６を周設し、さらにこの第２内鍔片３６の上端面の一箇所から、引上げ片３６ｂ２を一体立設する構成としている。
【００５３】
上記構成により、引上げ片３６ｂ２を指先で掴みながら引上げることにより、補強リング３０を容易に取り外すことができる。
【００５４】
【発明の効果】
本発明は、上記した構成となっているので、以下に示す効果を奏する。
第１の発明では、突設片を設け、補強リングの取り外しを容易にすることにより、注出キャップの、使用時における組付き強度の安定した保持と、分別回収時における容易な取り外し性を簡単な構造で実現することができる。
【００５５】
第２の発明では、特別な構造を付加することなく、組付き筒の肉厚により、組付き強度を適正に設定することができる。
【００５６】
第３の発明では、割り溝を設ける方法であり、壜体容器の構造、使用方法に応じて組付き強度を適正な範囲に精度高く設定することができる。
【００５７】
第４の発明では、破断開始片により容易に補強リングを取り除くことができる。
【００５８】
第５の発明では、補助リングを上方からキャップ本体に装着するので、注出キャップの組み付けを、簡単な操作で実施することができる。
【００５９】
第６の発明、補助リングに、フランジ部を設けることにより、分別回収時にはフランジ部に指を引っ掛けて簡単に補助リングを取り外すことができる。
【００６０】
第７の発明では、ガード筒を設けることにより、特に流通時に店頭にある壜体容器の不正開放の有無の確認、防止ができる。
【００６１】
第８の発明では、補強リングに引上げ片を設けることにより分別回収時に容易に補強リングを取り外すことができる。
【００６２】
第９の発明では、注出口をプルオープン式としたので、注出口の開設まで、壜容器の密閉を、確実かつ強固に達成維持することができる。
【００６３】
上記したように、本発明の注出キャップは、特に、補強リングの取り外しを容易にすることにより、使用中の充分な組付き強度の保持と、壜体との容易な分別回収を両立して実現でき、これにより製造コストが低く、高い操作性と安全性を有した壜体容器を提供することができる。
【図面の簡単な説明】
【図１】  第１実施例の注出キャップを壜口筒に組立てた状態を示す、正面図。
【図２】  第１実施例の注出キャップを壜口筒に組立てた状態を示す、半縦断面図。
【図３】  第１実施例の注出キャップの分別動作状態を示す、半縦断面図。
【図４】  第２実施例の注出キャップのキャップ本体を示す、斜視図。
【図５】  第３実施例の注出キャップを壜口筒に組立てた状態を示す、半縦断面図。
【図６】  第４実施例の注出キャップを壜口筒に組立てた状態を示す、半縦断面図。
【図７】  第４実施例の補強リングを示す、斜視図。
【図８】  第５実施例の注出キャップを壜口筒に組立てた状態を示す、半縦断面図。
【図９】  第５実施例の補強リングを示す、斜視図。
【符号の説明】
２      ；  キャップ本体
３      ；  組付き筒
４      ；  係止突条
４ａ    ；  割り溝
５      ；  注出口
６      ；  頂壁
６ａ    ；  フランジ片
７      ；  螺合筒
８      ；  シール筒
９      ；  内鍔片
１０    ；  注出筒
１１    ；  底壁片
１２    ；  係止筒
１３    ；  封止壁
１３ａ  ；  抜栓部
１３ｂ  ；  破断溝
１３ｃ  ；  プルリング
１４    ；  外キャップ体
１５    ；  頂板
１６    ；  本体筒
１７    ；  栓筒片
１８    ；  外鍔片
１９    ；  外装筒
１９ａ  ；リブ片
２０    ；  最下端部
２０ａ  ；係止凸部
２３    ；  壜口筒
２４    ；  係止周条
３０    ；  補強リング
３０ａ  ；リング本体
３１    ；  破断部
３２    ；  突設片
３２ａ  ；  破断開始片
３４    ；  ガード筒
３４ａ  ；係止部
３４ｂ  ；切り込み部
３５    ；  連結片
３２ｂ  ；引上げ部
３２ｂ１；フランジ部
３２ｂ２；  引上げ片
３６    ；  第２内鍔片
３７    ；  ノッチ部
【図１】
0004344981.tif 000002
【図２】
0004344981.tif 000003
【図３】
0004344981.tif 000004
【図４】
0004344981.tif 000005
【図５】
0004344981.tif 000006
【図６】
0004344981.tif 000007
【図７】
0004344981.tif 000008
【図８】
0004344981.tif 000009
【図９】
0004344981.tif 000010